【手続補正書】
【提出日】令和2年11月16日(2020.11.16)
【手続補正１】
【補正対象書類名】明細書
【補正対象項目名】００６２
【補正方法】変更
【補正の内容】
【００６２】
上述の説明は、例証及び説明を目的として提示されており、網羅的なリストであるか、または本発明を開示された厳密な形式に限定することは意図されていない。このことは、第１及び第２の区画の形状及びサイズに加えて、インサートバケツ及び／または絞りアセンブリを含む。当業者には明らかである他の代替的なプロセス、システム、及びアセンブリが、本発明の一部とみなされることが意図される。本発明は、示され説明されてきたような数多くの利点を含むことが理解されるべきである。
以下の項目［１］〜［２０］に、本発明の実施形態の例を列記する。
［１］
清浄な液体と汚れた液体とを収容するためのモップバケツであって、
前記モップバケツは、互いに隣接する第１及び第２の区画を備え、
前記第１の区画は、くぼみを含む水溜め部を備え、前記くぼみは、床手入れツールヘッドを受け入れ、それによって、前記床手入れツールが、床の洗浄に用いるために、前記第１の区画から清浄な液体を受けるよう構成され、
前記第２の区画は、前記床手入れツールから汚れた液体を受け入れるように構成されている、モップバケツ。
［２］
前記第２の区画に概ね隣接して位置付けられ、前記床手入れツールから汚れた液体を取り除くために用いるための絞りアセンブリをさらに備える、項目１に記載のモップバケツ。
［３］
前記絞りアセンブリは、前記汚れた液体を、前記床手入れツールから前記第２の区画の方へ導くメッシュ水はねガードを備える、項目２に記載のモップバケツ。
［４］
前記絞りアセンブリは、前記床手入れツールの少なくとも一部を圧縮するための圧縮部材をさらに備える、項目２または３に記載のモップバケツ。
［５］
前記第２の区画の内部のインサートバケツであって、前記第２の区画から着脱可能であり、内部に収容された汚水を空けることを支援する、インサートバケツをさらに備える、項目１〜４のいずれか一項に記載のモップバケツ。
［６］
前記第１または第２の区画の一部から延びるハンガであって、前記モップバケツとともに用いるための床標識の一部を受け入れるように構成された、ハンガをさらに備える、項目１〜５のいずれか一項に記載のモップバケツ。
［７］
前記モップバケツから延び、前記床手入れツールが前記第１の区画に位置付けられると、前記ツールのハンドルの一部を受け入れるように位置付けられたフックをさらに備える、項目１〜６のいずれか一項に記載のモップバケツ。
［８］
前記第１の区画は前記第１の区画内に形成されたハンドルを含む、項目１〜７のいずれか一項に記載のモップバケツ。
［９］
前記第２の区画は注ぎ口を含み、前記注ぎ口は、そこから前記汚れた液体を注ぐためのものである、項目１〜８のいずれか一項に記載のモップバケツ。
［１０］
清浄な液体と汚れた液体とを収容するためのモップバケツであって、前記モップバケツは：
前記清浄な液体を収容するための第１の区画と；
前記汚れた液体を収容するための第２の区画と；
前記第２の区画の少なくとも一部の内部に着脱可能に位置付けられたインサートバケツと；
前記汚れた液体を前記インサートバケツに向かって、かつその中に導くために、前記インサートバケツに動作可能に接続された絞りアセンブリと
を備え、
前記第１及び第２の区画は、壁によって分離されており、
前記第１の区画は、前記区画の底部にくぼんでおり、床手入れツールの一部を受け入れるように構成された水溜めを含む、モップバケツ。
［１１］
前記第２の区画から離れるように延びるハンガであって、そこから床標識を吊るすためのハンガをさらに備える、項目１０に記載のモップバケツ。
［１２］
前記第１の区画に向かって少なくとも部分的に延び、前記床手入れツールのハンドル部を受け入れるように構成されたフック部材をさらに備える、項目１０または１１に記載のモップバケツ。
［１３］
前記第１の区画は、その底に、前記バケツを持ち上げることを支援するためのハンドル部を備える、項目１０〜１２のいずれか一項に記載のモップバケツ。
［１４］
前記絞りアセンブリは、前記インサートバケツ内部に少なくとも部分的にあるメッシュかごと、前記汚れた液体を前記メッシュかごに向かって導くように構成された圧縮装置とを備える、項目１０〜１３のいずれか一項に記載のモップバケツ。
［１５］
前記第１の区画の前記水溜めが、床手入れツールヘッドを受け入れ、それによって、前記床手入れツールが、床の洗浄に用いるために、前記第１の区画から清浄な液体を受けるよう構成されている、項目１０〜１４のいずれか一項に記載のモップバケツ。
［１６］
容器とともに用いるための絞りアセンブリであって、前記絞りアセンブリは：
ハウジングと；
前記ハウジングに回転可能に接続されたバーと；
前記ハウジング及び前記バーに動作可能に取り付けられた第１及び第２のパドルであって、前記バーの動きが前記パドルを動かすようになっている、第１及び第２のパドルと；
前記バーに動作可能に取り付けられたハンドルであって、前記バーの長さに沿った任意の場所に概して位置付け可能である、ハンドルと、を備え、
前記ハンドルは、前記バーを基準としてグリップ部の構成を変化させることを可能にするように回転可能であるグリップ部を備える、絞りアセンブリ。
［１７］
前記ハンドルが、選択された位置で前記バーを前記ハンドルに取り付けるための取り付け点をさらに備える、項目１６に記載の絞りアセンブリ。
［１８］
前記ハンドルが、前記取り付け点から延びる略垂直部と、前記垂直部から延びる傾斜部とをさらに備え、前記グリップ部が、前記取り付け点から遠位に位置付けられる、項目１７に記載の絞りアセンブリ。
［１９］
前記ハウジングの下に少なくとも部分的に位置付けられ、液体を所望のように導くための開口を含む絞りかごをさらに備える、項目１６または１７に記載の絞りアセンブリ。
［２０］
前記容器から延びてそれと相互作用し、前記絞りアセンブリの使用中に、前記絞りアセンブリが前記容器から分離することを軽減することを支援する、１つ又は複数のアームをさらに備える、項目１６または１７に記載の絞りアセンブリ。
【手続補正２】
【補正対象書類名】特許請求の範囲
【補正対象項目名】全文
【補正方法】変更
【補正の内容】
【特許請求の範囲】
【請求項１】
清浄な液体と汚れた液体とを収容するためのモップバケツであって、
前記モップバケツは、互いに隣接する第１及び第２の区画を備え、
前記第１の区画は、前記第１の区画内の床に形成され前記床より低い位置に沈められた湾曲部を含む水溜め部を備え、前記湾曲部は、床手入れツールヘッドを受け入れ、それによって、前記床手入れツールが、床の洗浄に用いるために、前記第１の区画から清浄な液体を受けるよう構成され、
前記第２の区画は、前記床手入れツールから汚れた液体を受け入れるように構成されており、
前記モップバケツは、前記第２の区画の内部のインサートバケツであって、前記第２の区画から着脱可能であり、内部に収容された汚水を空けることを支援する、インサートバケツと、前記第１の区画の外壁の下側の角の一部として形成され、前記モップバケツを持ち上げて前記モップバケツを空にすることを補助するグリップをさらに備える、モップバケツ。
【請求項２】
前記第２の区画に概ね隣接して位置付けられ、前記床手入れツールから汚れた液体を取り除くために用いるための絞りアセンブリをさらに備える、請求項１に記載のモップバケツ。
【請求項３】
前記絞りアセンブリは、前記汚れた液体を、前記床手入れツールから前記第２の区画の方へ導くメッシュバケツを備える、請求項２に記載のモップバケツ。
【請求項４】
前記絞りアセンブリは、前記床手入れツールの少なくとも一部を圧縮するための圧縮部材をさらに備える、請求項２または３に記載のモップバケツ。
【請求項５】
前記第１または第２の区画の一部から延びるハンガであって、前記モップバケツとともに用いるための床標識の一部を受け入れるように構成された、ハンガをさらに備える、請求項１〜４のいずれか一項に記載のモップバケツ。
【請求項６】
前記モップバケツから延び、前記床手入れツールが前記第１の区画に位置付けられると、前記ツールのハンドルの一部を受け入れるように位置付けられたフックをさらに備える、請求項１〜５のいずれか一項に記載のモップバケツ。
【請求項７】
前記第１の区画は前記第１の区画内に形成されたハンドルを含む、請求項１〜６のいずれか一項に記載のモップバケツ。
【請求項８】
前記第２の区画は注ぎ口を含み、前記注ぎ口は、そこから前記汚れた液体を注ぐためのものである、請求項１〜７のいずれか一項に記載のモップバケツ。
【請求項９】
清浄な液体と汚れた液体とを収容するためのモップバケツであって、前記モップバケツは：
前記清浄な液体を収容するための第１の区画と；
前記汚れた液体を収容するための第２の区画と；
前記第２の区画の少なくとも一部の内部に着脱可能に位置付けられたインサートバケツと；
前記汚れた液体を前記インサートバケツに向かって、かつその中に導くために、前記インサートバケツに動作可能に接続された絞りアセンブリと
前記第１の区画の外壁の下側の角の一部として形成され、前記モップバケツを持ち上げて前記モップバケツを空にすることを補助するグリップと
を備え、
前記第１及び第２の区画は、壁によって分離されており、
前記第１の区画は、前記第１の区画内の床に形成され前記床より低い位置に沈められた湾曲部を含む水溜め部を備え、前記湾曲部は、床手入れツールヘッドを受け入れ、それによって、前記床手入れツールが、床の洗浄に用いるために、前記第１の区画から清浄な液体を受けるよう構成された、モップバケツ。
【請求項１０】
前記第２の区画から離れるように延びるハンガであって、そこから床標識を吊るすためのハンガをさらに備える、請求項９に記載のモップバケツ。
【請求項１１】
前記第１の区画に向かって少なくとも部分的に延び、前記床手入れツールのハンドル部を受け入れるように構成されたフック部材をさらに備える、請求項９又は１０に記載のモップバケツ。
【請求項１２】
前記第１の区画は、その底に、前記モップバケツを持ち上げることを支援するためのハンドル部を備える、請求項９〜１１のいずれか一項に記載のモップバケツ。
【請求項１３】
前記絞りアセンブリは、前記インサートバケツ内部に少なくとも部分的にあるメッシュかごと、前記汚れた液体を前記メッシュかごに向かって導くように構成された圧縮装置とを備える、請求項９〜１２のいずれか一項に記載のモップバケツ。
【請求項１４】
前記第１の区画の前記水溜めが、床手入れツールヘッドを受け入れ、それによって、前記床手入れツールが、床の洗浄に用いるために、前記第１の区画から清浄な液体を受けるよう構成されている、請求項９〜１３のいずれか一項に記載のモップバケツ。
【請求項１５】
容器とともに用いるための絞りアセンブリであって、前記絞りアセンブリは：
ハウジングと；
前記ハウジングに回転可能に接続されたバーと；
前記ハウジング及び前記バーに動作可能に取り付けられた第１及び第２のパドルであって、前記バーの動きが前記パドルを動かすようになっている、第１及び第２のパドルと；
前記バーに動作可能に取り付けられたハンドルであって、前記バーの長さに沿った任意の場所に概して位置付け可能である、ハンドルと、を備え、
前記ハンドルは、前記バーを基準としてグリップ部の構成を変化させることを可能にするように回転可能であるグリップ部を備える、絞りアセンブリ。
【請求項１６】
前記ハンドルが、選択された位置で前記バーを前記ハンドルに取り付けるための取り付け点をさらに備える、請求項１５に記載の絞りアセンブリ。
【請求項１７】
前記ハンドルが、前記取り付け点から延びる略垂直部と、前記垂直部から延びる傾斜部とをさらに備え、前記グリップ部が、前記取り付け点から遠位に位置付けられる、請求項１６に記載の絞りアセンブリ。
【請求項１８】
前記ハウジングの下に少なくとも部分的に位置付けられ、液体を所望のように導くための開口を含む絞りかごをさらに備える、請求項１５又は１６に記載の絞りアセンブリ。
【請求項１９】
前記容器から延びてそれと相互作用し、前記絞りアセンブリの使用中に、前記絞りアセンブリが前記容器から分離することを軽減することを支援する、１つ又は複数のアームをさらに備える、請求項１５又は１６に記載の絞りアセンブリ。